(57)【要約】      （修正有）【課題】メリーゴーランドおもちゃ本体をベビーベッドの木枠等に固定せずとも、使用でき、移動が容易にできるメリーゴーランドおもちゃを提供する。【解決手段】吊り下げ体２の下端に回動部３を設け、回動部の下端に装飾品４を設けたメリーゴーランドおもちゃにおいて、吊り下げ体を支持する支持部５と、支持部に連結された連結部と、連結部の下部に連結された土台部８と、を有することにより、メリーゴーランドおもちゃ本体が移動容易な状態で自立していることを特徴とする。【選択図】図１
0003183227.tif 000002
【実用新案登録請求の範囲】
【請求項１】
吊り下げ体の下端に回動部を設け、該回動部の下端に装飾品を設けたメリーゴーランドおもちゃにおいて、
前記吊り下げ体を支持する支持部と、
該支持部に連結された連結部と、
該連結部の下部に連結された土台部と、
を有することにより、
メリーゴーランドおもちゃ本体が移動容易な状態で自立していることを特徴とする。
【考案の詳細な説明】
【技術分野】
【０００１】
本考案はベビーベッド付近等に設置され、装飾品を回転させて乳幼児を楽しませ、不安感等をなだめたりするためのメリーゴーランドおもちゃに関する。
【背景技術】
【０００２】
メリーゴーランドおもちゃは、乳幼児向けのおもちゃの一つとして、吊り下げられた装飾品により乳幼児を楽しませるとともに、不安感等をなだめたりする目的として用いられている。この装飾品には回転するものや、その回転動作に併せて子守唄等の各種のメロディーを流すようなものもある。このようなメリーゴーランドおもちゃは、従来、ベビーベッドの木枠や天井、壁面等に設置されて使用される。
【０００３】
メリーゴーランドおもちゃの設置状況としては、特許文献１の図１や、特許文献２の図１１が参考になる。特許文献１、２ともに、ベビーベッドの木枠に設置している。
【先行技術文献】
【特許文献】
【０００４】
【特許文献１】実開平５−８４３９１号公報
【特許文献２】実開平６−３９０９２号公報
【考案の概要】
【考案が解決しようとする課題】
【０００５】
メリーゴーランドおもちゃは、特許文献１、２のようにベビーベッドの木枠に取り付けられることが多い。そのため、おむつを交換するときに、とっさにメリーゴーランドおもちゃ本体を十分に移動できず、邪魔になることがある。また、その際は、メリーゴーランドおもちゃの装飾品が汚れてしまう心配があるために、神経を使いながらの交換作業となることから、交換者の負担が大きくなるという問題があった。
【０００６】
また、メリーゴーランドおもちゃが乳幼児の見える場所にある場合、乳幼児が寝るときに落ち着かず、取り外しが必要となることがある。そうすると、乳幼児を寝かし付ける都度メリーゴーランドおもちゃ本体を取り外すことになるので、非常に手間がかかるという問題もあった。
【課題を解決するための手段】
【０００７】
本考案は、吊り下げ体の下端に回動部を設け、該回動部の下端に装飾品を設けたメリーゴーランドおもちゃにおいて、
前記吊り下げ体を支持する支持部と、
該支持部に連結された連結部と、
該連結部の下部に連結された土台部と、
を有することにより、
メリーゴーランドおもちゃ本体が移動容易な状態で自立していることを特徴とする。
【考案の効果】
【０００８】
本考案によれば、メリーゴーランドおもちゃ本体をベビーベッドの木枠等に固定していないので、メリーゴーランドおもちゃ本体を移動したい時には、迅速に容易に移動することができる。これは、ベビーベッドの木枠等からの取り外し作業がないためである。また、土台部を有することから、メリーゴーランドおもちゃ本体をベビーベッドの木枠等に固定していなくても、安定して自立させることができる。
【図面の簡単な説明】
【０００９】
【図１】本考案の実施例に係るメリーゴーランドおもちゃの斜視図である。
【図２】図１における側面図である。
【図３】図１における正面図である。
【図４】図３におけるＡ−Ａ断面図である。
【図５】図１において装飾品を除いた状態の側面図である。
【図６】図１において装飾品を除いた状態の正面図である。
【図７】図５における組付図である。
【考案を実施するための形態】
【００１０】
図１は、本考案の実施例の一つに係るメリーゴーランドおもちゃの斜視図を示す。
【００１１】
図１の実施例において、メリーゴーランドおもちゃ１は、回動部３を吊り下げるための吊り下げ体２と、吊り下げ体２の下端に設けられた回動部３と、回動部３の下端に設けられた装飾品４と、吊り下げ体２を支持している支持部５と、支持部５に垂直方向に連結している上連結部６と、上連結部６と第一締結ねじ９によって締結されている下連結部７と、下連結部７の下部に連結された土台部８を備えている。
【００１２】
本例では、連結部として、上連結部６と下連結部７の２つの部材を有する構成を示しているが、この構成は１つ以上の部材であればいくつでもよい。
【００１３】
なお、図４に示すように、下連結部７と土台部８は、締結ねじ１０によって締結されている。
【００１４】
図１に示すように、本考案の実施例に係るメリーゴーランドおもちゃ１は、従来のメリーゴーランドおもちゃと異なり、ベビーベッドの木枠等に固定していない。これは、土台部８を有することにより、メリーゴーランドおもちゃ１が自立することができ、ベビーベッドの木枠等に固定しなくてもメリーゴーランドおもちゃ１を使用することができるからである。これは、本考案の一つの特徴である。
【００１５】
そして、メリーゴーランドおもちゃ１が自立していることにより、ベビーベッド上で乳幼児のおむつを交換する場合等に、上連結部６付近を持つことによって、メリーゴーランドおもちゃ本体を容易に移動させることが可能である。
【００１６】
従来のメリーゴーランドおもちゃでは、ベビーベッドの木枠からメリーゴーランドおもちゃ本体を移動させる場合、まず、メリーゴーランドおもちゃ本体と木枠の固定を外し、メリーゴーランドおもちゃ本体を移動させ、再度木枠に固定しなおさなければならなかった。この点、本考案に係るメリーゴーランドおもちゃは、従来品より移動における迅速性という点で優れている。
【００１７】
回動部３については、回動する動力が電動式でもゼンマイ式でもよい。また、回転動作に併せて子守唄等の各種のメロディーを流すようなものであってもよい。
【００１８】
図５、図６は本考案の実施例の一つに係るメリーゴーランドおもちゃ１の装飾品４を除いた状態の側面図、正面図を示している。乳幼児が特定の装飾品に飽きてしまったとき等には、装飾品を付け替えることによって、新たな刺激を与えることができる。
【００１９】
図７は本考案の実施例の一つに係るメリーゴーランドおもちゃ１の組付図を示している。上連結部６、下連結部７、吊り下げ体２、可動部３等が取り外し可能であることによって、コンパクトに収納することができ、輸送する際に便利となる。
【００２０】
本考案に係る実施例は、支持部５、上連結部６、下連結部７、土台部８がそれぞれ別々に形成されているが、樹脂成形等で、一体となって形成されているような場合も本考案は有効である。
【符号の説明】
【００２１】
１      メリーゴーランドおもちゃ
２      吊り下げ体
３      回動部
４      装飾品
５      支持部
６      上連結部
７      下連結部
８      土台部
９      第一締結ねじ
１０    第二締結ねじ
【図１】
0003183227.tif 000003
【図２】
0003183227.tif 000004
【図３】
0003183227.tif 000005
【図４】
0003183227.tif 000006
【図５】
0003183227.tif 000007
【図６】
0003183227.tif 000008
【図７】
0003183227.tif 000009